(57)【要約】【目的】  質量体の全長を短くしても充分な等価質量が得られ、押鍵時の回動角度も大きくして所望のタッチ感触が得られるようにし、しかも、鍵盤装置の奥行きも高さも増加しないようにする。【構成】  フレーム１０の鍵取付部１０Ｋに回動自在に保持された鍵２０，４０と、質量体取付部１０Ｇに回動自在に保持され、鍵２０，４０の下方に設けられた質量体駆動部２９，４５によって駆動される質量体５０Ｗ，５０Ｂと、その回動範囲を規制する質量体下限ストッパ８４及び質量体上限ストッパ８３とを有する。その質量体５０Ｗ，５０Ｂが質量集中部５２Ｗｃ，５２Ｂｃを備え、その質量集中部がフレーム１０の質量体上限ストッパ８３を設けた位置より鍵長手方向の外方に突設し、且つ鍵２０，４０の後端部上面と質量集中部５２Ｗｃ，５２Ｂｃの最上昇位置での上面とが実質的に同一面になるようにした。【選択図】      図１
2007052411.tif 000002
【特許請求の範囲】
【請求項１】
鍵取付部と質量体取付部とを有するフレームと、前記鍵取付部に鍵回動部を介して回動自在に保持された白鍵と黒鍵からなる鍵と、該鍵の下方に設けられた駆動部によって駆動され、前記質量体取付部に質量体回動部を介して回動自在に保持された質量体と、前記フレームに設けられた質量体下限ストッパと質量体上限ストッパとを有し、該質量体下限ストッパと質量体上限ストッパ部によって前記鍵の駆動時及び非駆動時における前記質量体の回動範囲が制限される鍵盤装置において、
前記質量体は質量集中部を備え、該質量集中部を前記フレームの前記質量体上限ストッパを設けた位置より鍵長手方向の外方に突設させ、且つ前記白鍵の本体後端部上面と前記質量集中部の最上昇位置での上面とが実質的に同一面になるように構成したことを特徴とする鍵盤装置。
【請求項２】
支持部材と、この支持部材に対し揺動自在に保持された鍵と、該鍵の下方で前記支持部材に対して揺動自在に支持され、前記鍵の下方に設けられた駆動部を介して駆動されて揺動する質量体とを備えた鍵盤装置において、
前記質量体は、所定長を有する棒状金属材料からなる慣性モーメント発生部と、前記駆動部によって駆動される被駆動部と揺動自在に支持される被支持部とを含み、揺動支点からの長さが前記慣性モーメント発生部より短い駆動力伝達部とからなり、
前記慣性モーメント発生部は、質量集中部と該質量集中部を前記駆動力伝達部へ連設する連設部とからなり、
前記質量集中部が、該質量体の揺動の上限を規制する質量体上限ストッパより鍵長手方向の外方に突設し、揺動方向に沿って上方に延びた上延部を有していることを特徴とする鍵盤装置。
【請求項３】
請求項２記載の鍵盤装置において、前記質量集中部が、前記上延部からさらに前記連設部側に折り曲げられた平行部を有することを特徴とする鍵盤装置。
【請求項４】
請求項２記載の鍵盤装置において、前記質量集中部が、前記棒状金属材料を前記連設部を含む鉛直な面内で円又は円弧状に曲げて形成されていることを特徴とする電子楽器の鍵盤装置。
【請求項５】
請求項２記載の鍵盤装置において、複数の鍵が前記支持部材に対して揺動自在に保持され、該複数の各鍵ごとに前記質量体が設けられ、
前記複数の鍵のグループ毎又は各鍵毎に、対応する前記質量体における前記質量集中部の実効長又は形状の少なくとも一方を異ならせたことを特徴とする鍵盤装置。
【請求項６】
鍵取付部と質量体取付部とを有するフレームと、
前記鍵取付部に鍵回動部を介して回動自在に保持された白鍵と黒鍵からなる鍵と、
該鍵の下方に設けられた駆動部によって駆動され、前記質量体取付部に質量体回動部を介して回動自在に保持された質量体と、
前記フレームに設けられた質量体下限ストッパと質量体上限ストッパとを有し、
該質量体下限ストッパと質量体上限ストッパによって前記鍵の駆動時及び非駆動時における前記質量体の回動範囲が制限される鍵盤装置において、
前記質量体は、前記質量体回動部の対応部を介して前記駆動部の反対側に設けられ、前記対応部と前記駆動部との距離より遠い位置に設けた質量集中部を備え、
該質量集中部を前記フレームの前記質量体上限ストッパを設けた位置より鍵長手方向の外方に突設させ、
前記質量集中部は、その最上昇位置での上面が前記白鍵の本体部上面と前記フレームの前記質量体上限ストッパを保持する保持部の下面との間に位置するように設けたことを特徴とする鍵盤装置。
【請求項７】
鍵取付部と質量体取付部とを有するフレームと、
前記鍵取付部に鍵回動部を介して回動自在に保持された白鍵と黒鍵からなる鍵と、
該鍵の下方に設けられた駆動部によって駆動され、前記質量体取付部に質量体回動部を介して回動自在に保持された質量体と、
前記フレームに設けられた質量体下限ストッパと質量体上限ストッパとを有し、
該質量体下限ストッパと質量体上限ストッパによって前記鍵の駆動時及び非駆動時における前記質量体の回動範囲が制限される鍵盤装置において、
前記質量体は質量集中部を備え、該質量集中部は、前記質量体回動部の対応部を介して前記駆動部の反対側において、前記対応部と前記駆動部との距離より遠く、前記対応部から最も遠い位置である最外部に設けられ、該最外部から立ち上がる立ち上がり部を有し、
該立ち上がり部は、前記質量集中部の最上昇位置で前記質量体上限ストッパより上側に位置し、且つその上端が前記黒鍵の本体部上面より下方になるように配設したことを特徴とする鍵盤装置。
【発明の詳細な説明】
【技術分野】
【０００１】
この発明は、電子オルガン、電子ピアノ、シンセサイザ等の電子鍵盤楽器あるいは電気鍵盤楽器に用いられる鍵盤装置に関する。
【背景技術】
【０００２】
従来から、電子オルガンや電子ピアノ等の電子鍵盤楽器に用いられる鍵盤装置においても、ピアノのような自然楽器の鍵タッチ感触に近い重量感のあるタッチ感触が得られるように、各鍵に対応して一般にハンマと称される質量体を備えたものがある。そして、そのハンマが各鍵の押鍵動作に連動して揺動し、その動きに応じた力を押鍵力に対する反作用として付与して、所望の押鍵タッチ感触を得るようにしている。
そのハンマは、一般に金属材料で形成され、回動支点部から鍵長手方向の後方へ直線状に延びており、その質量をｍ、回動支点から質量中心（重心）までの距離をａとすると、慣性モーメントＩは、Ｉ＝ｍａ２の関係があり、この慣性モーメントＩによって押鍵時のタッチ感を重くすることができる。したがって、質量ｍが同じでも、上記距離ａが長いほど指に受ける質量感（等価質量）が大きくなる。
【０００３】
そこで、ハンマを直線状に延ばして設けると、その質量の分布が均等なため、ハンマの全長を長くしないと、その質量と回動支点から重心までの距離を充分とれない。そのため、所望のタッチ感触が得られるようにするにはハンマの全長を長くする必要があり、鍵盤装置の奥行きが大きくなってしまうという問題があった。
そこで、特許文献１に開示されているように、棒状金属材料からなるハンマの後端部を前方へ折り返すように折り曲げて質量集中部を形成することも知られている。このようにすると、質量が同じでもハンマの全長を短くすることができ、且つ重心の位置を回動支点から遠い後端部寄りにずらして上記等価質量を大きくすることができる。それによって、鍵盤装置の奥行きを大きくすることなく、所望のタッチ感触が得られるようにすることが可能になる。
【特許文献１】特許第２９１７８６３号公報
【発明の開示】
【発明が解決しようとする課題】
【０００４】
しかしながら、このような従来のハンマを備えた鍵盤装置では、押鍵時の鍵に連動してハンマが回動したとき、その後端部の質量集中部が支持部材であるフレームの後端付近に設けられた質量体上限ストッパに当接して、その回動の上限が規制されるようになっている。その質量集中部は棒状金属材料が上側に折り返されているので、その折り返し部の後端付近が質量体上限ストッパに当接して回動が規制されるため、所望のタッチ感触を得るためにハンマの充分な回動角度を得ようとすると、質量体上限ストッパの位置をなるべく高くしなければない。
【０００５】
そうすると、フレームの後端部を後方に延ばし、且つ高くしなければならないため、鍵盤の奥行きをあまり短くできず、後端部の高さが高くなるという問題がある。また、ハンマの質量を増加させるために質量集中部の折り曲げ部分の長さを長くすると、重心の位置が回動支点に近づく方向に移動してしまうため、上記等価質量はあまり増加せず、タッチ感を向上させる効果は小さいという問題もある。
【０００６】
この発明は上記のような問題を解決するためになされたものであり、質量体（ハンマ）を備えた鍵盤装置において、質量体の全長を短くしても充分な等価質量が得られ、押鍵時の回動角度も大きくして所望のタッチ感触が得られるようにし、しかも、鍵盤装置の奥行きも高さも増加しないようにすることを目的とする。
【課題を解決するための手段】
【０００７】
この発明は、鍵取付部と質量体取付部とを有するフレームと、その鍵取付部に鍵回動部を介して回動自在に保持された白鍵と黒鍵からなる鍵と、その鍵の下面側に設けられた駆動部によって駆動され、上記質量体取付部に質量体回動部を介して回動自在に保持された質量体と、上記フレームに設けられた質量体下限ストッパと質量体上限ストッパとを有し、その質量体下限ストッパと質量体上限ストッパによって上記鍵の駆動時及び非駆動時における上記質量体の回動範囲が制限される鍵盤装置において、上記の目的を達成するため、次のように構成したことを特徴とする。
すなわち、上記質量体が質量集中部を備え、その質量集中部が上記フレームの上記質量体上限ストッパを設けた位置より鍵長手方向の外方に突設し、且つ上記白鍵の本体後端部上面と上記質量集中部の最上昇位置での上面とが実質的に同一面になるように構成した。
【０００８】
また、支持部材と、この支持部材に対し揺動自在に保持された鍵と、その鍵の下方で前記支持部材に対して揺動自在に支持され、上記鍵の下方に設けられた駆動部を介して駆動されて揺動する質量体とを備えた鍵盤装置において、上記の目的を達成するため、次のように構成してもよい。
すなわち、前記質量体は、所定長を有する棒状金蔵材料からなる慣性モーメント発生部と、上記駆動部によって駆動される被駆動部と、揺動自在に支持される被支持部とを含み、揺動支点からの長さが上記慣性モーメント発生部より短い駆動力伝達部とからなる。
そ慣性モーメント発生部は、質量集中部とその質量集中部を上記駆動力伝達部へ連設する連設部とからなり、その質量集中部が、上記質量体の揺動の上限を規制する質量体上限ストッパより鍵長手方向の外方に突設し、上記質量体の揺動方向に沿って上方に延びた上延部を有している。
【０００９】
この鍵盤装置において、上記質量集中部が、上記上延部からさらに上記連設部側に折り曲げられた平行部を有するようにするとよい。その場合の質量集中部の側面形状は、コ字状、釣針状、四角形、三角形など、種々の形状にすることができる。
あるいは、上記質量集中部が、上記棒状金属材料を上記連設部を含む鉛直な面内で円又は円弧状に曲げて形成されていてもよい。この場合の質量集中部の側面形状には、円形（ループ状）、半円形、Ｕ字状、渦巻状などが含まれる。、
【００１０】
さらに、複数の鍵が上記支持部材に対して揺動自在に保持され、その複数の各鍵ごとに上記質量体が設けられ、その複数の鍵のグループ毎又は各鍵毎に、対応する質量体における上記質量集中部の実効長(延ばしたときの長さ)又は形状の少なくとも一方を異ならせ、キースケーリングをすることもできる。
その場合、質量体の等価質量が、低音側の鍵又は鍵のグループに対応するものほど大きく、高音側の鍵又は鍵のグループに対応するものほど小さくなるようにするとよい。あるいは、白鍵に対応する質量体の指に受ける質量感である等価質量が、黒鍵に対応する質量体の等価質量より大きくなるようにしてもよい。
【００１１】
あるいはまた、上記質量体の質量集中部を、上記質量体回動部の対応部を介して上記駆動部の反対側で且つその対応部と上記駆動部との距離より遠い位置に設け、その質量集中部を上記フレームの上記質量体上限ストッパを設けた位置より鍵長手方向の外方に突設させ、その質量集中部の最上昇位置での上面が白鍵の（本体部）上面と上記フレームの上記質量体上限ストッパを保持する保持部の下面との間に位置するように設けてもよい。
【００１２】
または、上記質量体の質量集中部を、上記質量体回動部の対応部を介して上記駆動部の反対側で且つ上記対応部と上記駆動部との距離より遠く、上記対応部から最も遠い位置である最外部に設け、その最外部から立ち上がる立ち上がり部を有するようにしてもよい。
その立ち上がり部は、上記質量体集中部の最上昇位置で上記質量体上限ストッパより上側に位置し、且つその上端が黒鍵の本体部上面より下方になるように配設する。
【発明の効果】
【００１３】
この発明による鍵盤装置は、質量体の質量集中部をフレームあるいは支持部材の質量体上限ストッパを設けた位置より外方に突出させることにより、その質量集中部を質量体上限ストッパと鍵の上面までの厚み分だけ自由な変形加工が可能になり、質量集中部の質量を増加させることができる。それによって、質量体の全長を抑えつつ、回動中心から質量中心（重心）までの距離を大きく（等価質量を大きく）して、慣性モーメントを増加させることができる。また、押鍵時に各質量体は、質量集中部より回動中心寄りの上方に延びていない部分が質量体上限ストッパに当接して上限位置が規制されるので、回動角度も大きくなる。したがって、押鍵時の鍵のタッチ感を重くして、所望のタッチ感触を容易に得ることができる。
【００１４】
しかも、質量体の後端部が最上昇位置でも鍵の上面から上方に突出せず、鍵盤後方部をフラットにし、高さを低くすることもでき、質量体の全長を長くしないで済むので、鍵盤装置の奥行きの増加も抑えることができる。したがって、実装設計の自由度が高くなり、小型で高性能の鍵盤楽器を提供できる。
【００１５】
なお、上記質量集中部を、棒状金属材料を駆動力伝達部と質量集中部とを連設する連設部を含む鉛直な面内で上方に曲げて形成すれば、鍵幅方向に延びる部分がないので、隣接鍵の質量体との干渉を皆無にし、上方のスペースを活用できる。
また、各鍵あるいは鍵域ごとにその慣性モーメントを調整して、鍵タッチ感触のキースケーリングを行うこともできる。
【発明を実施するための最良の形態】
【００１６】
以下、この発明を実施するための最良の形態を図面に基づいて具体的に説明する。
図１乃至図１０はこの発明の一実施例を示す図であり、図１はこの発明による鍵盤装置を備えた電子楽器の鍵長手方向に沿う概略断面図、図２はその鍵盤装置の１オクターブの鍵域部分の平面図、図３は図１における矢示Ｓ方向から見た正面図、図４は白鍵の自由端側の下面図である。
【００１７】
図５はその鍵盤装置を構成する鍵ユニットのみを、白鍵ユニットを実線で黒鍵ユニットを仮想線で示す平面図である。図６はその鍵ユニットの鍵共通保持部付近を拡大して示す側面図、図７は支持部材であるフレームの鍵取付部付近とそこに取り付けられた第１の白鍵ユニットの一部を示す斜視図、図８は黒鍵ユニットの一部を下方から見た斜視図である。
図９は図２に示した鍵盤装置を、鍵ユニットおよびスイッチ基板を取り除いて一部を破断して示す平面図、図１０は黒鍵の質量体駆動部の側面図である。
【００１８】
まず、主に図１に示す電子楽器の構成について説明する。この電子楽器１は、卓上型の電子オルガン、電子ピアノ、シンセサイザ等の電子鍵盤楽器であり、鍵盤装置２と上ケース６０及び下ケース７０と、図示していない電子回路部やスピーカなどからなっている。
鍵盤装置２は、多数の白鍵２０と黒鍵４０をフレーム１０の鍵取付部１０Ｋに取り付けて併設しており、それぞれ押鍵操作される鍵本体部だけを露出して、上ケース６０と下ケース７０からなるケース内に収納されている。その上ケース６０と下ケース７０は互いに嵌合しており、止めねじ７１および図示していない複数の止めねじによって、鍵支持部材であるフレーム１０と共に締め付けられて連結されている。
上ケース６０の前面には口棒部６４が設けられ、後部上面には譜面台６２を差し込んで装着するための譜面台装着溝６１が形成されている。下ケース７０の下面の四隅にはゴム足７６が取り付けられている。
【００１９】
その各白鍵２０と黒鍵４０は、例えば図５に示すように１オクターブの鍵域ごとに一組の鍵ユニットＫＵを構成している。その鍵ユニットＫＵは、第1の白鍵ユニットＫＵＷ１と第２の白鍵ユニットＫＵＷ２と黒鍵ユニットＫＵＢとによって構成されている。
第１の白鍵ユニットＫＵＷ１は、１オクターブの外側から一つ置きに４個の全音鍵である白鍵２０（図２に示すＣ，Ｅ，Ｇ，Ｂ鍵）の各鍵本体部２３が、それぞれ連結部２４によって鍵共通保持部２１に押離鍵方向に回動自在に連結している。
【００２０】
第２の白鍵ユニットＫＵＷ２は、他の一つ置きに３個の全音鍵である白鍵２０（図２に示すＤ，Ｆ，Ａ鍵）の各鍵本体部２３がそれぞれ連結部２４によって鍵共通保持部２２に押離鍵方向に回動自在に連結している。
黒鍵ユニットＫＵＢは、図５では仮想線で示す５個の半音鍵である黒鍵４０（図２に実線で示すＣ♯，Ｄ♯，Ｆ♯，Ｇ♯，Ａ♯鍵）の各鍵本体部４３がそれぞれ連結部４２によって鍵共通保持部４１に押鍵方向に回動自在に連結している。
この鍵ユニットＫＵにおいて、各連結部２４、４２がそれぞれ鍵回動部である。
【００２１】
なお、図５において２３は白鍵２０の鍵本体部を、４３は黒鍵４０の鍵本体部をそれぞれ示しており、その各鍵本体部２３，４３の長手方向の長さは、当然ながら白鍵２０の鍵本体部（以後「白鍵本体部」という）２３の方が黒鍵４０の鍵本体部（以後「黒鍵本体部」という）４３よりも長い。
ここで、「白鍵」と「黒鍵」とは、必ずしも色が「白い鍵」と「黒い鍵」を意味するものではなく、上述のように鍵本体部の上面がフラットで長さが長い方の鍵で、押鍵により全音を発音させるための鍵を「白鍵」と、鍵本体部が白鍵より上方に突出し長さが短い方の鍵で、押鍵により半音を発音させるための鍵を「黒鍵」と、それぞれ便宜上称している。したがって、実際の鍵の白黒が逆であっても、上述した白鍵に相当する形状及び機能を持つ鍵を「白鍵」とし、上述した黒鍵に相当する形状及び機能を持つ鍵を「黒鍵」とする。
【００２２】
これらの第１の白鍵ユニットＫＵＷ１と第２の白鍵ユニットＫＵＷ２と黒鍵ユニットＫＵＢは、図６にも示すように、その各鍵共通保持部２１，２２，４１が、互いに重なり合って鍵共通保持部３０を形成する。その鍵共通保持部３０は、第１の白鍵ユニットＫＵＷ１の鍵共通保持部２１に形成されたレール状の嵌合用突条部２１ｂに、第２の白鍵ユニットＫＵＷ２鍵共通保持部２２に形成された嵌合用凹溝部２２ａが位置決め嵌合され、その鍵共通保持部２２に形成されたレール状の嵌合用突条部２２ｂに黒鍵ユニットＫＵＢの鍵共通保持部４１に形成された嵌合用凹溝部４１ａが位置決め嵌合されて一体化する。
【００２３】
さらに、第１の白鍵ユニットＫＵＷ１の鍵共通保持部２１に形成された嵌合用凹溝２１ａをフレーム１０の鍵取付部１０Ｋに形成されたレール状の嵌合用突条部１５に位置決め嵌合させ、鍵共通保持部３０を形成する鍵共通保持部２１，２２，４１の取付孔４４，２６，２６に図１に示す鍵ユニット組み付け用ねじ８２を上方から挿通して、図６に示す鍵取付部１０Ｋの鍵共通保持部取付用ねじ穴１７にねじ込んで組み付けることによって、各鍵共通保持部２１，２２，４１が鍵取付部１０Ｋに共通に取り付けられる。
【００２４】
このようにして、第１の白鍵ユニットＫＵＷ１と第２の白鍵ユニットＫＵＷ２と黒鍵ユニットＫＵＢが、図２に示すように１オクターブ分の鍵ユニットＫＵとしてフレーム１０上に組み付けられる。この鍵ユニットＫＵを必要な鍵域分だけ鍵並び方向に連接させて組み付けることにより、所要鍵数の鍵盤装置を構成することができる。
【００２５】
ここで、第１，第２の白鍵ユニットＫＵＷ１，ＫＵＷ２の各連結部２４と、黒鍵ユニットＫＵＢの連結部４２の形状などの詳細について、図２及び図５乃至図８によって説明する。
黒鍵ユニットＫＵＢの各黒鍵本体部４３をそれぞれ鍵共通保持部４１に押鍵方向に揺動可能に連結する連結部４２は、図２及び図８に明示されているように、その鍵並び方向の全幅Ｗａが黒鍵本体部４０の鍵幅Ｗｂよりも広く、その一部Ｗｃ，Ｗｄ（Ｗａ，Ｗｂ，Ｗｃ，Ｗｄは図８参照）が隣り合う白鍵２０の連結部２４と互いに重なり合うように幅広に構成され、その連結部４２によって黒鍵４０の押離鍵時における鍵幅方向の揺動を規制するようにしている。
【００２６】
その黒鍵４０の連結部４２は、図６及び図８に明示されているように、押離鍵回動を可能にする薄肉ヒンジ部４２ｂとその薄肉ヒンジ部４２ｂより剛性の高い厚肉接続部４２ａとからなり、その厚肉接続部４２ａは黒鍵本体部４３の後端部４３ｅ（図８）の両側面から隣接鍵方向にぞれぞれ突設して後方に延設し、薄肉ヒンジ部４２ｂに接続されており、さらに鍵共通保持部４１へと結合される。その薄肉ヒンジ部４２ｂは、図２及び図８に明示されているように鍵幅方向の中間部に開口４７を形成し、それによって左右の部分に分割されている。
【００２７】
薄肉ヒンジ部４２ｂをこのように形成することにより、押鍵方向の可撓性を高めながら、厚肉接続部４２ａとともに鍵幅方向（横方向）の力に対する断面二次モーメントを大きくして、鍵ガイドを使用しなくても黒鍵本体部４３の鍵幅方向の横振れ（ヨーイング）を充分に規制できるようにしている。
なお、その連結部４２における黒鍵本体部４３の後端部４３ｅの両側面からの厚肉接続部４２ａの突出量は、図２に示すように各黒鍵４０ごとに異なっており、左右均等とは限らないし、各鍵によってもその幅長が異なっている。いずれにしても、黒鍵用連結部としての幅広部は、平均すると一鍵につき１２／５＝２．４鍵分の幅長を有し得ることになり、できる限りその鍵幅方向の全幅を広くとって、黒鍵本体部４３の鍵幅方向の横振れを規制する効果を高めるようにしている。
【００２８】
一方、第１，第２の白鍵ユニットＫＵＷ１，ＫＵＷ２の白鍵本体部２３をそれぞれ鍵共通保持部２１又は２２に押鍵方向に揺動可能に連結する各連結部２４は、図５及び図７に明示されるように、その鍵並び方向の全幅Ｗeが前述した黒鍵ユニットＫＵＢの連結部４２の鍵並び方向の全幅Ｗａより狭く、白鍵本体部２３の後端部の幅とほぼ同等の幅に形成されている。
【００２９】
その各連結部２４は、図６にも示すように、鍵幅方向に延びる薄肉の水平ヒンジ部２４ａと鍵の長手方向に沿って厚さ方向に延びる垂直ヒンジ部２４ｂとからなり、垂直ヒンジ部２４ｂは図５に明示されているように上方から見て「エ」の字状に形成されている。そして、薄肉の水平ヒンジ部２４ａの前端部が白鍵本体部２３の後端４３ｅに一体に接続し、垂直ヒンジ部２４ｂの後端部が鍵共通保持部２１又は２２に一体に接続されている。
水平ヒンジ部２４ａは、白鍵本体部２３を押鍵方向に揺動可能に支持し、垂直ヒンジ部２４ｂは白鍵本体部２３を鍵幅方向に揺動可能に支持する。そのため、白鍵本体部２３の前端部の鍵並び方向の位置決めと横揺れの規制は、白鍵２０の自由端側に設けた後述するガイド部によって行うようにしている。
【００３０】
垂直ヒンジ部２４ｂの存在理由は、鍵盤フレーム１０及び鍵ユニットＫＵが樹脂で形成されているので、成形時の収縮誤差や熱冷却時の各部のバラツキによって、後述するキーガイド部１２及び／又は被ガイド部３３の位置精度が僅かにバラツクことがあっても、押離鍵時に鍵自由端部でストレスが発生しないようにするためである。
前述のように、黒鍵４０の連結部４２はその鍵幅方向の全幅が黒鍵本体部４３の後端の鍵幅よりも広く、図２及び図５に明示されているように、その一部が隣合う白鍵２０の連結部２４と互いに重なり合う重なり部を有している。
【００３１】
さらに、その連結部４２における上記重なり部の一部として、上述した厚肉接続部４２ａの黒鍵本体部４３の後端部４３ｅの両側面から隣接鍵方向へ突設した部分が、隣接する白鍵２０の鍵本体部２３の後端部上面に重なるようにしている。また、図６及び図７に示すように、その白鍵本体部２３の後端部の上面２３ａの高さが他の部分より低く設定された逃がし部２５を白鍵本体部２３の後端部に形成している。そして、第１，第２の白鍵ユニットＫＵＷ１，ＫＵＷ２の上に黒鍵ユニットＫＵＢを重ねて鍵盤装置を構成したとき、
その白鍵本体部２３の逃がし部２５に黒鍵４０の連結部４２の一部である厚肉接続部４２ａが嵌合して重なるようにしている。この実施例では、それによって白鍵本体２３の上面２３ａと黒鍵４０の連結部４２の厚肉接続部４２ａの上面とが面一になっている。
【００３２】
このように構成することにより、少なくとも黒鍵４０に対してはガイド部を設けないで済む鍵盤装置において、白鍵２０及び黒鍵４０の各連結部２４，４２によるヒンジ機構が全て白鍵本体２３の上面２３ａより下方に納まるため、高さを押えつつ鍵の支点近傍の実装設計（パネルレイアウト等）の自由度が向上する。さらに、黒鍵４０と白鍵２０の回動支点が上下方向に接近することから、鍵操作性という点からも、より演奏しやすい鍵盤装置が実現する。特に、スケーリング演奏（例えば、Ｃ，Ｃ♯，Ｄ，Ｄ♯，Ｅ，Ｆ，…鍵による）が操作しやすい。
【００３３】
また、鍵盤装置の高さを抑えつつ白鍵本体部２３の厚みを増すことができ、押鍵時に白鍵本体部２３が曲がらないようにすることができる。さらに、白鍵本体部２３を長くすることにより、平行押鍵に近くなるので弾き易くなる。
一方、黒鍵４０についても、連結部４２の厚肉接続部４２ａを高くすることなく充分な厚さを確保することができるので、鍵幅方向への横振れに対する剛性を高めることができる。
【００３４】
ここで図１に戻って、支持部材であるフレーム１０とその関連部分の構成について説明する。
このフレーム１０は、図１において左下側に位置する前方下側部分と、右下側に位置する後方下側部分と、上側に位置する上方部分と、それらを補強するとともに接続するリブ部とが樹脂によって一体に成形されている。
【００３５】
そして、前方下側部分には、白鍵ガイド１２を一体に形成したガイド支持部１１、白鍵用下限ストッパ保持部１０Ｆ、鍵ユニットスライド面１９、質量体取付部１０Ｇ、および下ケース固定用のボス部１０ｅ〜１０ｇ等が形成されている。後方下側部分には、質量体下限ストッパ保持部１０Ｌと下ケース固定用のボス部１０ｈ等が形成されている。さらに、上方部分には、鍵取付部１０Ｋ、スイッチ基板取付部１０Ｓ、質量体上限ストッパ保持部１０Ｈ、および上部品取付部１０Ｊ等が形成されている。
【００３６】
鍵ユニットスライド面１９は、前述した鍵ユニットＫＵをフレーム１０に装着する際に利用される。すなわち、フレーム１０の手前側からガイド支持部１１とスイッチ基板８０との間の隙間を通して鍵ユニットＫＵを挿入したとき、各白鍵２０及び黒鍵４０にそれぞれ設けられた駆動部である後述する質量体駆動部２９，４５の下端面２９ａ，４５をその鍵ユニットスライド面１９の傾斜面に当接させて滑らせ、後述する白鍵用質量体５０Ｗ及び黒鍵用質量体５０Ｂの主被駆動部５３Ｗ，５３Ｂと副被駆動部５４Ｗ，５４Ｂとの間に、質量体駆動部２９，４５の嵌合部を自動的に嵌入させることができる。
【００３７】
そのため、前記嵌合部２９１，４５１の上下面が、主被駆動部５３Ｗ、５３Ｂと副被駆動部５４Ｗ，５４Ｂとの間に嵌入されるので、押離鍵の両方向に鍵と質量体との間で力の伝達がなされる。
上部品取付部１０Ｊには、上ケース６０の上部に収容する操作パネル用基板等の部品を取り付けることができる。
【００３８】
リブ部は、白鍵用下限ストッパ保持部１０Ｆと鍵ユニットスライド面１９の下側のリブ１０ａ、ボス部１０ｆの上側のリブ１０ｂ、質量体取付部１０Ｇの内側のリブ１０ｃ、前方下側部分と後方下側部分と上方部分とを接続するメインのリブ１０ｄとから成っている。これらのリブからなるリブ部は、図２に示すように鍵長手方向に沿って、鍵並び方向に間隔を置いて複数箇所（１オクターブにつき２箇所程度）に設けられている。
【００３９】
白鍵用下限ストッパ保持部１０Ｆの上面には、鍵並び方向に延びる帯状のフエルト材からなる白鍵用下限ストッパ３４が貼着保持されている。質量体下限ストッパ保持部１０Ｌの上面には、図２及び図９にも示されているように、後述する質量体（ハンマ）５０Ｗ，５０Ｂの並び方向に延びる帯状のフェルト材からなる質量体下限ストッパ８４が貼着保持されている。また、質量体上限ストッパ保持部１０Ｈの下面には、図７にも示されるように、質量体５０Ｗ，５０Ｂの並び方向に延びる帯状のフェルト材からなる質量体上限ストッパ８３が貼着保持されている。
【００４０】
ここで、白鍵のガイド部について図２乃至図４も参照して説明する。
フレーム１０の前端側上部には、各白鍵の自由端付近に対応する位置に、板状のガイド支持部１１が、図２及び図３に示されているように白鍵２０の並び方向に沿って列設されている。その各ガイド支持部１１の前面から前方へ突出するように、板状の白鍵ガイド１２が垂直に形成されている。このガイド支持部１１と白鍵ガイド１２とは、上方又は下方から見ると図２に破線で示し、図４に仮想線で示すようにＴ字状のガイド部材となっている。
【００４１】
一方、各白鍵２０の自由端側には、その下面図を図４に示すように、白鍵本体部２３の先端部２０ａにはケースに収納された状態で外部から見える部分の前端に外側前端壁３１が設けられており、上面部はそれより僅かに前方へ突出している。その外側前端壁３１より内側に内側前端壁３２が白鍵本体部２３の先端部２０ａの全高さ域に亘って形成されている。その内側前端壁３２の鍵幅方向の中間部に、下端から鍵高さ方向に沿ってスリット３３ａを形成し、互いに前方へ対称的に湾曲して突出する対の被ガイド部３３を形成している。この被ガイド部３３のスリット３３ａの間隙幅を、白鍵ガイド１２の厚さより僅かに大きくしている。
【００４２】
そして、前述した鍵ユニットＫＵがフレーム１０に装着されたときに、図２乃至図４に示すように、各白鍵ガイド１２が各白鍵２０の被ガイド部３３のスリット３３ａに嵌入して、各白鍵２０の先端部の位置位置決めと押鍵時の横振れの規制を行う。なお。各白鍵本体２３は前述した連結部２４の垂直ヒンジ部２４ｂの作用で鍵幅方向に揺動可能であるから、多少の製造誤差や組み付け誤差があっても、無理なく各白鍵本体部２３の配列位置を揃えることができ、押離鍵操作もスムーズに行うことができる。この各白鍵ガイド１２と各白鍵２０の被ガイド部３３に潤滑用のグリースを塗布しておくとよい。
【００４３】
再び図１に戻って、フレーム１０のスイッチ基板取付部１０Ｓ上にはスイッチ基板８０が、スイッチ基板係止鉤３５によって係止されて取り付けられており、そのスイッチ基板８０上には、各白鍵２０及び黒鍵４０の長手方向の中間部に対応する位置に、図２にも破線で示すように多数の鍵スイッチ８１が列設されている。
【００４４】
この鍵スイッチ８１は、それぞれ合成ゴム製のドーム状の可動部を有し、その可動部に一対の被押圧部（図２に２つの破線の小円形で示されている）とその内側に導電性ゴムによる一対の可動接点を備えており、その各可動接点がスイッチ基板８０上に形成された二組の固定接点と対向して、２接点（２メイク）の鍵スイッチを構成している。そして、白鍵２０又は黒鍵４０の押鍵時に、その下面で可動部が押圧されて一対の可動接点が二組の固定接点に順次接触して各接点をＯＮにし、それが押鍵信号として出力される。また、その各接点がＯＮになったタイミングの時間差によって押鍵速度を検出することができ、その検出した押鍵速度に応じて発生する楽音を制御することができる。
【００４５】
次に、この鍵盤装置２には、各鍵の押鍵時に重量感のあるタッチ感触が得られるように各鍵に連動する質量体（一般にハンマと称されている）を備えているので、それについて図１の他に図２、図９及び図１０も参照して説明する。
各白鍵２０に対しては白鍵用質量体５０Ｗが、各黒鍵４０に対しては黒鍵用質量体５０Ｂが、それぞれ後述する質量体回動部（回動軸１４Ｗ，１４Ｂ）を介してフレーム１０の質量体取付部１０Ｇに図１で矢示Ｍ方向に回動（揺動）自在に取り付けられている。
【００４６】
その白鍵用質量体５０Ｗと黒鍵用質量体５０Ｂは殆ど同じ構成になっており、揺動被支持部５１Ｗ又は５１Ｂと主被駆動部５３Ｗ又は５３Ｂと副被駆動部５４Ｗ又は５４Ｂとが樹脂によって一体に成形されて、駆動力伝達部を構成している。そして、揺動被支持部５１Ｗ又は５１Ｂに、鉄材等の棒状金属材料による慣性モーメント発生部５２Ｗ又は５２Ｂの前端部をアウトサート成形にて一体化している。
【００４７】
慣性モーメント発生部５２Ｗ及び５２Ｂの後端部は、それぞれ曲げ加工によって上方へ略直角に曲げられて、揺動方向に沿って上方に延びた上延部Ｕを形成し、さらに前方へ戻るように後述する連設部側に略直角に曲げられて平行部Ｐを形成しており、黒鍵用質量体５０Ｂの慣性モーメント発生部５２Ｂの後端部はコ字状の質量集中部５２Ｂｃを形成している。白鍵用質量体５０Ｗの慣性モーメント発生部５２Ｗの後端部はさらに下方へ略直角に曲げられて、略矩形ループ状の質量集中部５２Ｗｃを形成している。
【００４８】
この質量集中部５２Ｗｃ及び５２Ｂｃは、フレーム１０の質量体上限ストッパ保持部１０Ｈよりも鍵長手方向の外方（後方）に突出しており、且つ慣性モーメント発生部５２Ｗ，５２Ｂがそれぞれ質量体上限ストッパ８３に当接する最上昇位置で、その上面が白鍵２０の鍵本体部４３の上面あるいは黒鍵４０の厚肉接続部４２ａの上面と実質的に同一面になるようにしている。慣性モーメント発生部５２Ｗ，５２Ｂにおける質量集中部５２Ｗｃ，５２Ｂｃより前方の部分が質量集中部５２Ｗｃ，５２Ｂｃを前述した駆動力伝達部に連設する連設部となっている。
【００４９】
各質量体５０Ｗ，５０Ｂの揺動被支持部５１Ｗ，５１Ｂには、それぞれ半径方向に凹部を形成するとともにその凹部の下側から後方にガイド舌片Ｑを突設した軸受部（フレーム側の質量体回動部に対応した質量体回動部対応部）１３Ｗ，１３Ｂが設けられている。一方、フレーム１０の質量体取付部１０Ｇの上面には、図９にも示すように鍵長手方向に平行に、鍵幅方向に所定の間隔で対向するそれぞれ対の支持リブ１０Ｗ，１０Ｂが一体に立設され、その対の支持リブ間を橋渡しするように、質量体回動部である回動軸１４Ｗ，１４Ｂが設けられている。質量体取付部１０Ｇには図２に示すように、この回動軸１４Ｗ，１４Ｂを成形する際に型が入り込むための開口３８，４８が形成されている。なお、図１では、対の支持リブ１０Ｗの手前側の支持リブを除去して示している。
【００５０】
そして、各質量体５０Ｗ，５０Ｂの質量体回動部対応部である軸受部１３Ｗ，１３Ｂの凹部に質量体回動部である回動軸１４Ｗ，１４Ｂを嵌入させることにより、白鍵用質量体５０Ｗが軸受部１３Ｗと回動軸１４Ｗ及び対の支持リブ１０Ｗを介して、黒鍵用質量体５０Ｂが軸受部１３Ｂと回動軸１４Ｂ及び対の支持リブ１０Ｂを介して、それぞれ質量体取付部１０Ｇに揺動可能に軸支される。
この軸支位置すなわち回動軸１４Ｗ，１４Ｂの鍵長手方向の位置は、図２及び図９から分かるようにずれており、白鍵用質量体５０Ｗに対する回動軸１４Ｗの方が黒鍵用質量体５０Ｂに対する回動軸１４Ｂよりも前端寄りになっている。
【００５１】
そして、各白鍵用質量体５０Ｗの前端部には、図１に示されるように主被駆動部５３Ｗと副被駆動部５４Ｗとが、上下方向に間隔を置いて揺動被支持部５１Ｗと一体に設けられており、主被駆動部５３Ｗの方が副被駆動部５４Ｗよりも前方へ突出している。一方、各白鍵２０の図４に示す幅広部の後端部付近の下面に、質量体駆動部２９が図１に示すように下方へ真っ直ぐに突設されている。その質量体駆動部２９の下端面は対応する白鍵用質量体５０Ｗの主被駆動部５３Ｗの上面に当接する。また、その質量体駆動部２９の下部は背面を開口した空洞に形成されており、そこに副被駆動部５４Ｗの前端部が図１に破線で示すように緩く入り込む。
【００５２】
このように構成することによって、白鍵２０が押鍵されたときに質量体駆動部２９が下降して主被駆動部５３Ｗを駆動し、白鍵用質量体５０Ｗを回動軸１４Ｗを支点として図１で反時計方向へ、慣性モーメント発生部５２Ｗの部分Ｃが質量体上限ストッパ８３に当接する仮想線で示す位置まで回動させるので、重量感のあるタッチ感触が与えられる。離鍵時には、質量体駆動部２９の下端内壁が副被駆動部５４Ｗに係合してそれを上昇させるので、白鍵用質量体５０Ｗは回動軸１４Ｗを支点として図１で時計方向へ回動して、質量集中部５２Ｗｃが質量体下限ストッパ８４に当接する実線で示す位置へ速やかに復帰する。
このように、白鍵２０と白鍵用質量体５０Ｗとが常に連動して回動するように、質量体駆動部２９を白鍵用質量体５０Ｗの主被駆動部５３Ｗと副被駆動部５４Ｗとに係合させるようにしている。
【００５３】
各黒鍵用質量体５０Ｂの前端部にも同様に、図１０に仮想線で示す主被駆動部５３Ｂと副被駆動部５４Ｂとが、上下方向に間隔を置いて揺動被支持部５１Ｂ（図９参照）と一体に設けられており、主被駆動部５３Ｂの方が副被駆動部５４Ｂよりも前方へ突出している。一方、各黒鍵４０には図１０に示すように、その前端部の下面に質量体駆動部４５が突設されている。この質量体駆動部４５は、下方、前方、下方とクランク状に曲がって延び、その下端面４５ａを対応する黒鍵用質量体５０Ｂの主被駆動部５３Ｂの上面に当接させ、その鍵長手方向の位置が図９に仮想線で示すように、白鍵用の質量体駆動部２９の下端面と白鍵用質量体５０Ｗの主被駆動部５３Ｗとの当接位置と揃うようにしている。
【００５４】
この質量体駆動部４５の下端部も背面を開口した空洞に形成されており、そこに副被駆動部５４Ｂの前端部が図１０に仮想線で示すように緩く入り込む。
これによって、上述した白鍵２０と白鍵用質量体５０Ｗの場合と同様に、黒鍵４０と黒鍵用質量体５０Ｂも常に連動して回動する。
【００５５】
そして、この実施例では前述のように質量体駆動部４５を白鍵２０の下方で手前側に延ばして、白鍵２０と黒鍵４０の各質量体駆動部２９，４５による白鍵用質量体５０Ｗと黒鍵用質量体５０Ｂの鍵長手方向の駆動位置を略同じ位置に揃えている。一方、白鍵用質量体５０Ｗと黒鍵用質量体５０Ｂの回動支点となる回動軸１４Ｗと１４Ｂの鍵長手方向の位置は異なって（千鳥状配置になって）いる。
【００５６】
これにより、各質量体駆動部２９，４５によって白鍵用質量体５０Ｗと黒鍵用質量体
.５０Ｂが駆動される点から回動支点までの距離が、黒鍵用の方が白鍵用より長くなり、黒鍵用質量体５０Ｂの慣性モーメント発生部５２Ｂの回動支点から質量体上限ストッパ８３に当接する部分Ｃまでの距離が、白鍵用質量体５０Ｗの慣性モーメント発生部５２Ｗの回動支点から質量体上限ストッパ８３に当接する部分Ｃまでの距離より短くなるので、白鍵２０と黒鍵４０の押鍵感触のバランスをとることができる。
【００５７】
ここで、この実施例における白鍵用質量体５０Ｗと黒鍵用質量体５０Ｂはまた、前述したように質量集中部５２Ｗｃ及び５２Ｂｃがフレーム１０の質量体上限ストッパ保持部１０Ｈよりも鍵長手方向の外方（後方）に突出しており、且つ慣性モーメント発生部５２Ｗ，５２Ｂがそれぞれ質量体上限ストッパ８３に当接する最上昇位置で、その上面が白鍵２０の鍵本体部４３の上面あるいは黒鍵４０の厚肉接続部４２ａの上面と実質的に同一面になるようにしている理由について説明する。
【００５８】
質量体（ハンマ）付きのピアノ系鍵盤装置においては、押鍵タッチ感の実現のために実装スペースとのバランス取りが重要になる。ことに低価格帯の楽器になるほど楽器本体の寸法的制約が大きくなり、鍵盤としての性能を犠牲にしなくてはならない可能性が高くなるので、その中で最大限スペース効率を稼ぐことが必要になる。最低限省略できない部材とその他の機能部品が同じ高さに並ぶことによって、無駄なスペースを全くなくすことができる。特に重要なのは、質量体（ハンマ）の移動量でほぼユニット高さが決まってしまうことである。
【００５９】
そこで、質量体の質量集中部をフレームの質量体上限ストッパ保持部よりも鍵長手方向の外に出してしまうことにより、質量体の等価質量の向上と重量の軽量化およびそれによるコストダウンを同時に図ることが可能になる。
質量感は、質量体の回動支点から重心までの距離の２乗に比例するので、質量集中部は極力回動支点から遠くにあるのが望ましい。そのため、質量集中部をフレームから外に出し、さらに、上方へ回動したときにその質量集中部の上端がフレームや鍵の最高点と同じ高さになるようにすることによって、タッチ感の向上と実装自由度の確保を高次元で両立させることができる。
【００６０】
さらに、押鍵時に質量体５０Ｗ又は５０Ｂは、その慣性モーメント発生部５２Ｗ又は５２Ｂにおける質量集中部５２Ｗｃ又は５２Ｂｃより回動中心寄りの上方に延びていない連設部の当接部Ｃが質量体上限ストッパ８３に当接して上限位置が規制されるので、質量体上限ストッパ８３の位置が従来より低くても回動角度を大きくすることができる。この点でも、押鍵時の鍵のタッチ感を重くして、所望のタッチ感触を得ることが容易になる。
【００６１】
したがって、図１に示す質量体５０Ｗ，５０Ｂの質量集中部５２Ｗｃ，５２Ｂｃは、質量体回動部（回動軸１４Ｗ，１４Ｂ）の対応部である軸受部１３Ｗ，１３Ｂを介して質量体駆動部２９、４５の反対側に設けられ、上記対応部である軸受部１３Ｗ，１３Ｂと質量体駆動部２９、４５との距離より遠い位置に設けられている。
そして、その質量集中部５２Ｗｃ，５２Ｂｃをフレーム１０の質量体上限ストッパ８３を設けた位置より鍵長手方向の外方に突設させ、その質量集中部５２Ｗｃ，５２Ｂｃの最上昇位置での上面が白鍵本体部２３の上面２３aとフレーム１０の質量体上限ストッパ８３を保持する質量体上限ストッパ保持部１０Hの下面との間に位置するように設けている。
【００６２】
あるいは、その質量集中部５２Ｗｃ，５２Ｂｃは、上記対応部である軸受部１３Ｗ，１３Ｂから最も遠い位置である最外部に設けられ、その最外部から立ち上がる立ち上がり部である上延部Ｕを有し、その立ち上がり部は、質量集中部５２Ｗｃ，５２Ｂｃの最上昇位置で質量体上限ストッパ８３より上側に位置し、且つその上端が黒鍵本体部４３の上面より下方になるように配設されるようにしてもよい。
【００６３】
また、この実施例では、各質量体５０Ｗ，５０Ｂの質量集中部５２Ｗｃ，５２Ｂｃを、棒状金属部材の後端部を鍵の押離鍵方向の上方に折り曲げ、さらに連設部側に折り曲げて形成しているので、質量体５０Ｗ，５０Ｂの全長を余り長くせずに等価重量を大きくして慣性モーメントを増加し、タッチ感触を高めることができる。しかも、その質量集中部５２Ｗｃ，５２Ｂｃは棒状金属部材の径と同じ幅で押離鍵方向に平行な空間内（連接部を含む鉛直な面内）で折り曲げられているので、隣接鍵の質量体との干渉をさけ、上方のスペースを有効に活用できる。
【００６４】
この質量集中部５２Ｗｃ，５２Ｂｃの折り曲げ形状は、コ字状や方形に限らず、Ｕ字状、三角形、円形、渦巻状など種々の形状にすることができる。その具体例は後述する。
さらに、この実施例では、白鍵用質量体５０Ｗの質量集中部５２Ｗｃは、図１に示されているように棒状金属材料を側面形状が四角形になるように折り曲げて形成し、黒鍵用質量体５０Ｂの質量集中部５２Ｂｃは、図１では判りにくいが、棒状金属材料を側面形状がコ字状になるように折り曲げて形成している。このように、白鍵用質量体５０Ｗと黒鍵用質量体５０Ｂの質量集中部５２Ｗｃと５２Ｂｃの実効長（伸ばしたときの長さ＝重量）を異ならせており、それによって白鍵２０と黒鍵４０のタッチ感触を揃えるようにしている。
【００６５】
また、この実施例の鍵盤装置２は、図１で説明したようにフレーム１０の各部が多くのリブによって支持されて一体に形成されている。そして、そのリブのうちで最も大きいリブ１０dの下縁端の少なくとも一部（図１の例では鍵長手方向に沿う中間部）が、各質量体５０Ｗ，５０Ｂが実線で示す最下降状態にあるときの下縁に沿って形成されている。このようにすることによって、フレーム１０の下部にできる空間を有効に利用できる。例えば、鍵及び質量体の配列方向（鍵幅方向）に長い機能部品等を容易に配置することができる。
【００６６】
この場合、質量体５０Ｗ，５０Ｂの軸受部１３Ｗ，１３Ｂと質量体取付部１０Ｇ側の回動軸１４Ｗ，１４Ｂとによる回動支点部を、支持部材であるフレーム１０の最下端から所定の高さ位置に設け、質量体５０Ｗ，５０Ｂのの下部にその移動範囲外の空間を形成しており、その空間の最上部をリブ１０ｄの下縁の一部と一致させるように構成している。
さらに、そのフレーム１０の下端に装着する下ケース７０に上記空間内に入り込む凹陥部を形成して、その凹陥部を機能部材収容部とすることができる。図１に示す例では、凹陥部の一つを電池あるいは電池パックを収容する電池室１８としており、蓋７５を着脱可能に設けている。
【００６７】
このようにすれば、ポータプル型の電子鍵盤楽器の場合には、必要な電池又は電池を内蔵した電池パックを、余分なスペースを設けずに（鍵盤装置の高さ方向の寸法を大きくすることなく）収納できる。
もう一つの凹陥部は機能部品収納部１６とし、ここに鍵並び方向に長い種々の機能部品を収納することを可能にしている。この機能部品収納部１６に、下ケース７０に対してフレーム１０を嵌め込む時の仮保持部材を嵌入させたり、コードやマイクなどの付属品を収納することもできる。
【００６８】
その下ケース７０は、止めねじ７２，７３，７４によってフレーム１０のボス部１０ｆ，１０ｇ，１０ｈにねじ止めされる。
フレーム１０と下ケース７０を一体にして、下ケースの一部に鍵ユニット及び質量体を支持させるようにすることも可能である。
【００６９】
また、支持部材であるフレーム１０の最下端は、フレーム１０の下面の２又は３箇所だけに分散して設けられている。図１に示した例では、ボス部１０ｆと１０ｈの下面だけがフレーム１０の最下端であり、他の部分はその最下端より高い位置になっている。例えば、ボス部１０ｇの下面はボス部１０ｆの下面より少し高くなっている。最下端が２箇所の場合は、少なくとも一方がある程度の長さを有する必要がある。
このようにすれば、この鍵盤装置２を、下ケース７０を装着せずに鍵盤楽器の棚板上に直接載置する場合に、ガタつくことなく安定して載置することができる。
【００７０】
ここで、この発明による鍵盤装置における質量体の特徴及びその質量集中部の異なる形状例について、図１１乃至図１３によって説明する。
図１１及び図１２はこの発明による鍵盤装置の質量体の形状が異なる実施例を簡略化して示す側面図であり、質量体の符号は白鍵用と黒鍵用とで区別せず、前述した各図における「Ｗ」と「Ｂ」を除いた符号を付している。
【００７１】
図１１に示す例では、白鍵２０及び黒鍵４０が、それぞれフレーム１０に鍵回動部５を介して回動自在に保持されている。その各白鍵２０及び黒鍵４０の下方には、それぞれ質量体（ハンマ）５０がフレーム１０側に設けられた回動軸１４によって回動可能に支持されている。その各質量体５０は、白鍵２０又は黒鍵４０の押鍵時にその下方に設けられた質量体駆動部２９又は４５によって被駆動部５３が駆動されて、実線で示す位置から仮想線で示す位置まで回動する。
【００７２】
この各質量体５０は、所定長を有する棒状金属材料からなる慣性モーメント発生部５２と、その慣性モーメント発生部５２を支持する揺動被支持部５１と被駆動部５３とを含み、揺動支点からの長さが慣性モーメント発生部５２より短い駆動力伝達部とからなる。そして、慣性モーメント発生部５２は、質量集中部５２ｃとその質量集中部５２ｃを上記駆動力伝達部へ連設する連設部とからなる。その質量集中部５２ｃは、フレーム１０の質量体上限ストッパ８３を設けた位置より鍵長手方向の外方に突設しており、揺動方向に沿って上方に延びた部分を有している。図に示す例では、その端部がさらに連設部側に折り曲げられた部分を有している。
【００７３】
各質量体５０は、フレーム１０の下部に設けられた質量体下限ストッパ８４と上部に設けられた質量体上限ストッパ８３によって、白鍵２０又は黒鍵４０の駆動時及び非駆動時における回動範囲が制限される。
そして、白鍵２０の上面及び黒鍵４０の後端部上面と、各質量体５０の質量集中部５２ｃの最上昇位置での上面とが実質的に同一面になるように構成している。
【００７４】
このように構成することによって、この鍵盤装置は、質量体５０の質量集中部５２ｃを質量体上限ストッパ８３と白鍵２０の上面までの厚み分（図１１に実線の楕円で囲んで示す高さ範囲）だけ自由な変形加工が可能になり、質量集中部５２ｃの質量を増加させることができる。それによって、質量体５０の全長を抑えつつ、回動軸１４（回動中心）から質量中心である重心までの距離を大きく（等価質量を大きく）して、慣性モーメントを増加させることができる。また、押鍵時に各質量体５０は、慣性モーメント発生部５２の質量集中部５２ｃより回動中心寄りの上方に延びていない部分が質量体上限ストッパ８３に当接して上限位置が規制されるので、回動角度も大きくなる。したがって、押鍵時の鍵のタッチ感を重くして、所望のタッチ感触を容易に得ることができる。
【００７５】
しかも、質量体５０の後端部が最上昇位置でも白鍵２０及び黒鍵４０の後端部上面から上方に突出しないので、鍵盤後方部をフラットにし、高さを低くすることもでき、質量体の全長を長くしないで済むので、鍵盤装置の奥行きの増加も抑えることができる。したがって、図１１に破線で囲んで示す鍵盤の後方上部の領域Ｓにおける実装設計の自由度が高くなり、小型で高性能の鍵盤楽器を提供できる。
【００７６】
なお、上記質量集中部５２ｃを、棒状金属材料からなる慣性モーメント発生部５２の連設部を含む鉛直な面内で上方に曲げて形成すれば、鍵幅方向に延びる部分がなくなるので、隣接鍵の質量体５０との干渉を皆無にし、上方のスペースを活用できる。
図１２に示す例は、図１１に示した例と質量体５０の質量集中部５２ｃの形状が異なるだけである。
この例の質量集中部５２ｃは、質量体５０の棒状金属材料からなる慣性モーメント発生部５２の後端部を、その棒径と同じ幅で揺動方向に平行（鉛直）な空間内において逆Ｕ字状に曲げて形成されており、上方の空間だけでなく、下方の空間にも若干延ばして等価重量を増加させている。その他の構成及び作用は、図１１によって説明した例と同じである。
【００７７】
図１３は、質量体の質量集中部の種々の形状例を示す側面図である。（ａ）はＬ字形、（ｂ）は釣針形、（ｃ）は三角形、（ｄ）は一辺が重複した四角形、（ｅ）は円形ループ状、（ｆ）は渦巻状に、それぞれ形成した例を示している。
このように、質量体の慣性モーメント発生部が棒状金属材料からなり、その後端部を曲げ加工して質量集中部を形成する場合、その曲げ回数、各曲げ部の長さ、曲げ角度、湾曲度、渦巻状の場合の渦巻回数など、必要に応じて適宜選定できる。
また、質量体の質量集中部を有する慣性モーメント発生部は、棒状金属材料を折り曲げて形成するものに限らず、金属板をプレス加工したり、金属材を鋳造加工することなどによっても作製することができる。
【００７８】
この発明は、電子鍵盤楽器だけでなく自然発音体を使用する電気鍵盤楽器やその他の質量体を備えた鍵盤楽器にも適用可能である。各部の形状や配置などは実施例のものに限定されるものではなく、適用する楽器の仕様に応じて適宜変更し得ることは言うまでもない。
【産業上の利用可能性】
【００７９】
この発明による鍵盤装置は、電子オルガン、電子ピアノ、シンセサイザ等の電子鍵盤楽器あるいは電気鍵盤楽器など、各種の鍵盤楽器に適用できる。特に、各鍵ごとに質量体（ハンマ）を備えた小型の電子鍵盤楽器に適用するのに適し、鍵タッチ感がよく、高性能でコンパクトな電子鍵盤楽器を安価に提供することが可能になる。
【図面の簡単な説明】
【００８０】
【図１】この発明の一実施例である鍵盤装置を備えた電子楽器の鍵長手方向に沿う概略断面図である。
【図２】その鍵盤装置の１オクターブの鍵域部分の平面図である。
【図３】同じくその正面図である。
【図４】その白鍵の自由端側の下面図である。
【図５】その白鍵ユニットを実線で黒鍵ユニットを仮想線で示す鍵ユニットのみの平面図である。
【００８１】
【図６】その鍵ユニットの鍵共通保持部付近を拡大して示す側面図である。
【図７】そのフレームの鍵取付部付近とそこに取り付けられた第１の白鍵ユニットの一部を示す斜視図である。
【図８】黒鍵ユニットの一部を下方から見た斜視図である。
【図９】図２に示した鍵盤装置を鍵ユニットおよびスイッチ基板を取り除いて一部を破断して示す平面図である。
【図１０】黒鍵の質量体駆動部の側面図である。
【図１１】この発明による鍵盤装置の質量体の形状が異なる実施例を簡略化して示す側面図である。
【図１２】同じく質量体の形状がさらに異なる実施例を簡略化して示す側断面図である。
【図１３】この発明による鍵盤装置の質量体における質量集中部の種々の形状例を示す側断面図である。
【符号の説明】
【００８２】
１…電子楽器、２…鍵盤装置、５…鍵回動部、１０…フレーム（支持部材）、１０W，１０B…対の支持リブ、１０Ｆ…白鍵用下限ストッパ保持部、１０Ｇ…質量体取付部、１０Ｋ…鍵取付部、１０Ｈ…質量体上限ストッパ保持部、１０Ｌ…質量体下限ストッパ保持部、１０Ｊ…上部品取付部、１０Ｓ…スイッチ基板取付部、１０ａ〜１０ｄ…リブ、１０ｅ〜１０ｈ…ボス部、１１…ガイド支持部、１２…白鍵ガイド（ガイド部）、１３Ｗ…白鍵用質量体の軸受部、１３Ｂ…黒鍵用質量体の軸受部、１４Ｗ…白鍵用質量体の回動軸、１４Ｂ…黒鍵用質量体の回動軸、１５…嵌合用突条部、１６…機能部品収納部、１７…鍵共通保持部取付用ねじ穴、１８…電池室、１９…鍵ユニットスライド面、
【００８３】
２０…白鍵、２０ａ…白鍵の先端部、２１…白鍵の鍵共通保持部（下）、２１ａ…嵌合用凹溝部、２１ｂ…嵌合用突条部、２２…白鍵の鍵共通保持部（上）、２２ａ…嵌合用凹溝部、２２ｂ…嵌合用突条部、２３…白鍵本体部、２３ａ…白鍵本体部の上面、２４…白鍵の連結部、２４ａ…水平ヒンジ部、２４ｂ…垂直ヒンジ部、２５…逃がし部、２６…取付孔、２９…白鍵の質量体駆動部、３０…鍵共通保持部（全体）、３１…白鍵の外側前端壁、３２…白鍵の内側前端壁、３３…白鍵の被ガイド部、３３ａ…スリット、３４…白鍵用下限ストッパ、３５…スイッチ基板係止鉤、３６，３７…ケース結合用透孔、３８…白鍵用質量体の軸受嵌合孔、
【００８４】
４０…黒鍵、４１…黒鍵の鍵共通保持部、４１ａ…嵌合用凹溝部、４２…黒鍵の連結部、４２ａ…厚肉接続部、４２ｂ…薄肉ヒンジ部、４３…黒鍵鍵本体部、４３ｅ…黒鍵鍵本体部の後端、４４…取付孔、４５…黒鍵の質量体駆動部、４６…ケース結合用透孔、４７…開口、４８…黒鍵用質量体の軸受嵌合孔、５０Ｗ…白鍵用質量体（ハンマ）、５０Ｂ…黒鍵用質量体（ハンマ）、５１Ｗ，５１Ｂ…質量体の揺動被支持部、５２Ｗ，５２Ｂ…質量体の慣性モーメント発生部、５２Ｗｃ，５２Ｂｃ…重量部の質量集中部、５３Ｗ，５３Ｂ…質量体の主被駆動部、５４Ｗ，５４Ｂ…質量体の副被駆動部、
【００８５】
６０…上ケース、６１…譜面台装着溝、６２…譜面台、６４…上ケースの口棒部、７０…下ケース、７１〜７４…止めねじ、７５…電池室の蓋、７６…ゴム足、８０…スイッチ基板、８１…鍵スイッチ（ゴム製可動部を備えたもの）、８２…鍵ユニット組付用ねじ、
８３…質量体上限ストッパ、８４…質量体下限ストッパ
ＫＵ…鍵ユニット、ＫＵＷ１…第１の白鍵ユニット（Ｃ，Ｅ，Ｇ，Ｂ鍵）、
ＫＵＷ２…第２の白鍵ユニット（Ｄ，Ｆ，Ａ鍵）、ＫＵＢ…黒鍵ユニット、
【図１】
2007052411.tif 000003
【図２】
2007052411.tif 000004
【図３】
2007052411.tif 000005
【図４】
2007052411.tif 000006
【図５】
2007052411.tif 000007
【図６】
2007052411.tif 000008
【図７】
2007052411.tif 000009
【図８】
2007052411.tif 000010
【図９】
2007052411.tif 000011
【図１０】
2007052411.tif 000012
【図１１】
2007052411.tif 000013
【図１２】
2007052411.tif 000014
【図１３】
2007052411.tif 000015